(57)【要約】【課題】  経済性の点を除いて紙パック式の電気掃除機の長所とサイクロン式電気掃除機の長所とを取り入れた新規な電気掃除機を提供すること。【解決手段】  電動送風機２を内蔵し、前方に吸気口３ａを有するモータ室３と、モータ室３の前方に配置され、かつ、前方に吸気口４ｄを有する紙パック４と、吸気ホース接続口９を前方に備え、この吸気ホース接続口９に紙パック４の吸気口４ｄを連通して紙パック４を内蔵可能とした集塵室５と、紙パック４内に吸入された塵埃を含む空気を紙パック４内において旋回させて塵埃を遠心分離可能にする旋回流発生機構とを備えたものとする。【選択図】        図１
2005204734.tif 000002
【特許請求の範囲】
【請求項１】
電動送風機を内蔵し、前方に吸気口を有するモータ室と、モータ室の前方に配置され、かつ、前方に吸気口を有する紙パックと、吸気ホース接続口を前方に備え、この吸気ホース接続口に紙パックの吸気口を連通して紙パックを内蔵可能とした集塵室と、紙パック内に吸入された塵埃を含む空気を、紙パック内において旋回させて塵埃を遠心分離可能にする旋回流発生機構とを備えたことを特徴とする電気掃除機。
【請求項２】
旋回流発生機構は、紙パックの吸気口において吸気流の風向を変更する風向変更板と、風向変更板により変更された風向に位置するフィルターシートの第１コーナ部を旋回方向に湾曲させる第１形状保持部材とからなることを特徴とする請求項１記載の電気掃除機。
【請求項３】
旋回流発生機構は、紙パックの吸気口において吸気流の風向を変更する風向変更板と、風向変更板により変更された吸気の流れ方向に位置するフィルターシートの第１コーナ部を旋回方向に湾曲させる第１形状保持部材と、第１コーナ部で方向変更された吸気の流れ方向に位置するフィルターシートの第２コーナ部を旋回方向に湾曲させる第２形状保持部材とからなることを特徴とする請求項１記載の電気掃除機。
【請求項４】
風向変更板および第１形状保持部材は、紙パックに吸入した吸気流を水平方向の旋回軸で旋回させるように形成されていることを特徴とする請求項２記載の電気掃除機。
【請求項５】
風向変更板、第１形状保持部材および第２形状保持部材は、紙パックに吸入した吸気流を水平方向の旋回軸で旋回させるように形成されていることを特徴とする請求項３記載の電気掃除機。
【請求項６】
第１形状保持部材は、フィルターシートの第１コーナ部を、外部から端面で支持するように形成されたリブ部材により構成されていることを特徴とする請求項２〜５の何れか１項に記載の電気掃除機。
【請求項７】
第２形状保持部材は、フィルターシートの第２コーナ部を、外部から端面で支持するように形成されたリブ部材により構成されていることを特徴とする請求項３または５記載の電気掃除機。
【請求項８】
第１形状保持部材は、フィルターシートの第１コーナ部を、外部から支持するように形成された曲面支持壁により構成されていることを特徴とする請求項２〜５の何れか１項に記載の電気掃除機。
【請求項９】
第２形状保持部材は、フィルターシートの第２コーナ部を、外部から支持するように形成された曲面支持壁により構成されていることを特徴とする請求項３または５記載の電気掃除機。
【請求項１０】
第１形状保持部材は、紙パックのフィルターシートの第１コーナ部自体を曲面状に形成した構成であることを特徴とする請求項２〜５の何れか１項に記載の電気掃除機。
【請求項１１】
第２形状保持部材は、紙パックのフィルターシートの第２コーナ部自体を曲面状に形成した構成であることを特徴とする請求項３または５記載の電気掃除機。
【請求項１２】
風向変更板は、上端を回転中心として下端が紙パック内側に回動する板状部材からなり、運転時、吸気の風圧により開放して吸気の流れを所定方向に変更し、運転停止時、自重により紙パックの吸気口を閉鎖するように構成されていることを特徴とする請求項２〜１１の何れか１項に記載の電気掃除機。
【請求項１３】
風向変更板は、紙パックに一体的に形成されていることを特徴とする請求項１２記載の電気掃除機。
【請求項１４】
モータ室は、吸気口の中心を、紙パックの吸気口の中心に対し、紙パック内の吸気流の旋回方向における後流側に位置するように形成されていることを特徴とする請求項１〜１３の何れか１項記載の電気掃除機。
【請求項１５】
フィルターシートの第１コーナ部の通気性を阻害する通気性阻害部を備えていることを特徴とする請求項１〜１４の何れか１項記載の電気集塵機。
【請求項１６】
通気性阻害部は、紙パックの外側の構成部材に形成された通気性阻害用の板部材からなることを特徴とする請求項１５記載の電気集塵機。
【請求項１７】
通気性阻害部は、紙パックの内面または外面に貼付された非通気性フィルムからなることを特徴とする請求項１５記載の電気集塵機。
【請求項１８】
紙パックは、内部を観察可能にする透明部を有することを特徴とする請求項１〜１４の何れか１項記載の電気掃除機。
【請求項１９】
前記透明部は、フィルターシートの旋回軸方向の中央部を略全周にわたる帯状の非通気性透明フィルムからなることを特徴とする請求項１８記載の電気掃除機。
【請求項２０】
紙パックの側部に、紙パック内の吸気流の一部空気を排出するバイパス路を有することを特徴とする請求項４記載の電気掃除機。
【発明の詳細な説明】
【技術分野】
【０００１】
本発明は、電気掃除機に関し、特に紙パックを使用しながらサイクロン式原理で塵埃を吸気中から分離する新規な電気掃除機に関する。
【背景技術】
【０００２】
一般にサイクロン式電気掃除機は、例えば特許文献１に示されるようなものであって、使い棄ての紙パック式電気掃除機に比し、塵埃貯留部と通気部とが異なることにより、排気の臭気が少なく、かつ使用中における吸込力の性能低下が少ないこと、塵埃廃棄の都度紙パックを棄てるようなことがなく経済的であることなどの理由により従来の紙パック式の電気掃除機に代わり普及率が増加の傾向にある。しかしながら、このサイクロン式電気掃除機は塵埃除去の際、粉塵が散乱したり、舞い上がったりする点で紙パック式の電気掃除機より劣るという問題があった。
【特許文献１】特開平２００２−１７６２６号公報
【発明の開示】
【発明が解決しようとする課題】
【０００３】
本発明は、経済性の点を除いて紙パック式の電気掃除機の長所とサイクロン式電気掃除機の長所とを取り入れた新規な電気掃除機を提供することを目的とする。
【課題を解決するための手段】
【０００４】
本発明に係る電気掃除機は、このような課題を達成するためになされたものであって、電動送風機を内蔵し、前方に吸気口を有するモータ室と、モータ室の前方に配置され、かつ、前方に吸気口を有する紙パックと、吸気ホース接続口を前方に備え、この吸気ホース接続口に紙パックの吸気口を連通して紙パックを内蔵可能とした集塵室と、紙パック内に吸入された塵埃を含む空気を、紙パック内において旋回させて塵埃を遠心分離可能にする旋回流発生機構とを備えたことを特徴とする。
【０００５】
また、上記発明において、旋回流発生機構は、紙パックの吸気口において吸気流の風向を変更する風向変更板と、風向変更板により変更された風向に位置するフィルターシートの第１コーナ部を旋回方向に湾曲させる第１形状保持部材とからなるようにしてもよい。
【０００６】
また、上記発明において、旋回流発生機構は、紙パックの吸気口において吸気流の風向を変更する風向変更板と、風向変更板により変更された吸気の流れ方向に位置するフィルターシートの第１コーナ部を旋回方向に湾曲させる第１形状保持部材と、第１コーナ部で方向変更された吸気の流れ方向に位置するフィルターシートの第２コーナ部を旋回方向に湾曲させる第２形状保持部材とからなるようにしてもよい。
【０００７】
また、この場合において、風向変更板および第１形状保持部材は、紙パックに吸入した吸気流を水平方向の旋回軸で旋回させるように形成するように構成してもよい。
【０００８】
また、この場合において、風向変更板、第１形状保持部材および第２形状保持部材は、紙パックに吸入した吸気流を水平方向の旋回軸で旋回させるように形成するように構成してもよい。
【０００９】
また、第１形状保持部材は、フィルターシートの第１コーナ部を、外部から端面で支持するように形成されたリブ部材により構成されているものとしてもよい。
【００１０】
また、第２形状保持部材は、フィルターシートの第２コーナ部を、外部から端面で支持するように形成されたリブ部材により構成されているものとしてもよい。
【００１１】
また、第１形状保持部材は、フィルターシートの第１コーナ部を、外部から支持するように形成された曲面支持壁により構成されているものとしてもよい。
【００１２】
また、第２形状保持部材は、フィルターシートの第２コーナ部を、外部から支持するように形成された曲面支持壁により構成されているものとしてもよい。
【００１３】
また、第１形状保持部材は、紙パックのフィルターシートの第１コーナ部自体を曲面状に形成した構成であるものとしてもよい。
【００１４】
また、第２形状保持部材は、紙パックのフィルターシートの第２コーナ部自体を曲面状に形成した構成であるとしてもよい。
【００１５】
また、風向変更板は、上端を回転中心として下端が紙パック内側に回動する板状部材からなり、運転時、吸気の風圧により開放して吸気の流れ方向を所定方向に変更し、運転停止時、自重により紙パックの吸気口を閉鎖するように構成されているものとしてもよい。
【００１６】
また、風向変更板は、紙パックに一体的に形成されているものとしてもよい。
【００１７】
また、モータ室は、吸気口の中心を、紙パックの吸気口の中心に対し、紙パック内の吸気流の旋回方向における後流側に位置するように形成されているものとしてもよい。
【００１８】
また、上記の電気掃除機は、フィルターシートの第１コーナ部の通気性を阻害する通気性阻害部を備えたものとしてもよい。
【００１９】
また、通気性阻害部は、紙パックの外側の構成部材に形成された通気性阻害用の板部材からなるものとしてもよい。
【００２０】
また、通気性阻害部は、紙パックの内面または外面に貼付された非通気性フィルムからなるものとしてもよい。
【００２１】
また、紙パックは、内部を観察可能にする透明部を有するものとしてもよい。
【００２２】
また、この透明部は、フィルターシートの旋回軸方向の中央部を略全周にわたる帯状の非通気性透明フィルムからなるとしてもよい。
【００２３】
また、紙パックの側部に、紙パック内の吸気流の一部空気を排出するバイパス路を有するように構成してもよい。
【発明の効果】
【００２４】
本発明によれば、紙パックに吸入された吸気が旋回流発生機構により旋回され、塵埃が遠心力により分離される。分離された塵埃は旋回流のよどみ部に貯留される。例えば、紙パックの吸気口から吸入された空気が水平方向の旋回軸を生ずるように旋回された場合は、紙パックの左右側部のよどみ部となり、ここに分離された塵埃が貯留される。この結果、紙パック内において塵埃貯留部と通気部とが分離されるため、電気掃除機からの排気の臭気は従来の紙パック式電気掃除機より少なくなる。また、本発明の電気掃除機では、紙パック内において塵埃貯留部と通気部とが分離されるため、使用中における吸引風量の低下が低減される。さらに、塵埃を廃棄する際は従来の紙パック式の電気掃除機と同様に、貯留部から塵埃を取り出すことなく紙パックごと廃棄できるので、従来のサイクロン式電気掃除機に比し塵埃廃棄手間が掛からず衛生的である。
【００２５】
また、本発明において、旋回流発生機構を、紙パックの吸気口において吸気流の風向を変更する風向変更板と、風向変更板により変更された風向に位置するフィルターシートの第１コーナ部を旋回方向に湾曲させる第１形状保持部材とから構成すると、簡易な構成により従来の紙パックを使用しながら、紙パックに吸入された吸気を円滑に旋回させることができる。
【００２６】
また、本発明において、旋回流発生機構を、紙パックの吸気口において吸気流の風向を変更する風向変更板と、風向変更板により変更された吸気の流れ方向に位置するフィルターシートの第１コーナ部を旋回方向に湾曲させる第１形状保持部材と、第１コーナ部で方向変更された吸気の流れ方向に位置する第２コーナ部を旋回方向に湾曲させる第２形状保持部材とから構成した場合は、紙パック内の旋回力をより強力に発生させることができる。
【００２７】
また、風向変更板および第１形状保持部材により、または、風向変更板、第１形状保持部材および第２形状保持部材により、紙パックに吸入した吸気流を水平方向の旋回軸で旋回させた場合は、紙パックの左右のよどみ部に塵埃を貯留することができるので、塵埃貯留量を多くすることができる。また、紙パックの左右側部には空気通路が形成されていないが、フィルムシートの左右側部自体は他の部分と同様に通気性を有するため吸気の一部が排出される。このため、分離された塵埃が紙パックの左右に圧縮され気味に効率良く貯留される。因みに、紙パックに吸入した吸気流を垂直方向の旋回軸で旋回させた場合は、塵埃を紙パックの下方部にのみ貯留することになるので塵埃貯留容積が減少する。
【００２８】
また、第１形状保持部材や第２形状保持部材を、フィルターシートの外部に設けたリブや曲面支持壁で支持するように構成すると、集塵室内に第１形状保持部材や第２形状保持部材を容易に形成することができる。
【００２９】
また、第１形状保持部材や第２形状保持部材の構成として、フィルターシートの第１コーナ部自体または第２コーナ部自体を曲面状に形成した構成とすると、前述のようなリブや曲面支持壁を紙パックの外部に設ける必要がなくなるので、より一層簡単な構成とすることができる。
【００３０】
また、風向変更板を、上端を回転中心として下端が紙パック内側に回動する板状部材からなり、運転時、吸気の風圧により開放して吸気の流れを所定方向に変更し、運転停止時、自重により紙パックの吸気口を閉鎖するように構成すると、風向変更板と通常の吸気ホース接続口の閉鎖弁とを兼用することができ、構成が簡単になる。また、紙パック内の旋回流を水平方向の旋回軸とすることができ、塵埃貯留量を大きくすることができる。
【００３１】
また、風向変更板を紙パックと一体的に形成すると、塵埃廃棄時紙パック内から塵埃の飛び出しを抑制することができる。
【００３２】
また、モータ室の吸気口の中心を、紙パックの吸気口の中心に対し、紙パック内の吸気流の旋回方向における後流側に位置するように形成すると、フィルターシートの第１コーナ部を大きくすることができ、より強力な旋回流に形成することができる。
【００３３】
また、前記フィルターシートの第１コーナ部の通気性を阻害する通気性阻害部を設けると、第１コーナ部からの空気の排出を防止することができ、この部分への塵埃の貯留を防ぐことができ、旋回流を円滑に形成することができる。
【００３４】
また、このような通気性阻害部は、紙パックの外側の構成部材に板部材を取り付けたり、紙パックの内面または外面に非通気性フィルムを貼付したりするなどの構成により、簡易な構成で形成することができる。
【００３５】
また、紙パックに内部を観察可能にする透明部を設けると、紙パック内にどの程度の塵埃が貯留されているかを肉眼で判別することができるので、紙パック交換の時期を簡単に知ることができる。
【００３６】
また、紙パックの透明部として、紙パックの旋回軸方向の中央部を略全周にわたる帯状の非通気性透明フィルムから形成すると、透明部を大きくとることができ、紙パック内部の塵埃貯留の様子を容易に観察することができる。また、非通気性の部分が中央部の略全周にできるため、紙パックの吸気口からモータ室の吸気口に直接空気が通過する流れを抑制し、旋回流の形成が容易になる。
【００３７】
また、風向変更板および第１形状保持部材を、紙パックに吸入した吸気流が水平方向の旋回軸で旋回するように形成したものにおいて、紙パックの側部に、紙パック内の吸気流の一部空気を排出するバイパス路を形成すると、紙パックの側部から一部の空気が排出されることにより、塵埃を圧縮した状態で貯留させることができ、紙パックの使用期間を長期化することができる。
【発明を実施するための最良の形態】
【００３８】
以下本発明の各実施例につき、図面に基づき詳細に説明する。
【実施例１】
【００３９】
図１はこの発明の一実施例に係る還流型電気掃除機の側断面図、図２は同電気掃除機の概略平断面図、図３は同電気掃除機におけるバスケットの側断面図である。
これら図面に示される電気掃除機は、掃除機本体１の内部に、電動送風機２を内蔵したモータ室３、モータ室３の前方に配置される紙パック４、紙パック４を収納する集塵室５を有し、さらに、図示しない床用吸込具が先端に接続される吸気ホース６などから構成されている。
【００４０】
掃除機本体１の上部には集塵室５を開閉して紙パック４を容易に交換できるようにするための上蓋５ａが設けられている。また、掃除機本体１の下部には、掃除機本体１を床面上で転がして移動できるようにするための前輪７および後輪８が設けられている。掃除機本体１の前方、すなわち集塵室５の前方には吸気ホース接続口９が設けられている。この実施例における吸気ホース６は、二重ホースであって、内側が吸気用、外側が還流用に形成されている。
【００４１】
モータ室３に内蔵されている電動送風機２は前部に送風機２ａを有し、後部に電動機２ｂを有している。そして、モータ室３の前方には集塵室５に通じる吸気口３ａが設けられている。集塵室５から吸気された空気は、電動機２ｂを冷却した後、一部は排気口（図示せず）から排出され、残りの空気は、掃除機本体１内に形成された還流通路（図示せず）を介して吸気ホース６の外側ホースを通して床用吸込具（図示せず）へ還流される。
【００４２】
紙パック４は、従来一般的に用いられているものと同様のものであって、塵埃を通過させず空気のみを通過させるフィルターシート４ａと、フィルターシート４ａの前方に設けられた厚手の口紙４ｂとを基本構成部材としている。また、本発明に係る紙パック４においては、フィルターシート４ａの上面部に透明部４ｃが形成されている。この透明部４ｃは、紙パック４におけるごみの貯留程度を観察できるようにするために、上蓋５ａも透明名部材で形成し、上蓋５ａを閉じたままの状態で紙パック４内部を観察できるよう上面位置に設けられている。この透明部４ｃの平面上の位置は図２において破線で示されている。また、口紙４ｂの中央部には吸気口４ｄが形成されている。紙パック４は、使用前には折り畳まれており、掃除機運転中に風圧により広がるように形成されている。この紙パック４は、後述するように集塵室５内のバスケット１１に装着されている。
【００４３】
集塵室５は、紙パック４を収納する室であって、紙パック４を装着するバスケット１１が着脱自在に取り付けられている。そして、集塵室５は、上蓋５ａを開放することにより、紙パック４をバスケット１１に装着したまま集塵室５から取り出すことができるように構成されている。また、集塵室５の前方に形成される前述の吸気ホース接続口９の中心位置は、前述のモータ室３の吸気口３ａの中心位置に対し、水平方向は同一で、高さ方向については下方の位置となるように、つまり吸気口３ａの中心位置が、後述する紙パック４内に形成される吸気流の旋回方向の後流側となるように配慮されている。
【００４４】
バスケット１１は、図３の側断面図に示すように、後方および上方開放の樹脂製篭状部材であって、前面には吸気口１２が設けられている。この吸気口１２は、前方に僅かに突出する口部１２ａを有している。そして、バスケット１１は、口部１２ａが吸気ホース接続口９に当接されるように集塵室５内に収納される。
【００４５】
バスケット１１は、吸気口１２の下部に、紙パック４の口紙４ｂの下端を支持する受け部１３を有し、さらに、上部に紙パック４の口紙４ｂの上辺部を挟み込むクリップ１４を有している。そして、紙パック４は、口紙４ｂを受け部１３に載せて、上部のクリップ１４で口紙４ｂを挟み込むことにより、口紙４ｂの中央部に形成された吸気口４ｄと吸気ホース接続口９とが連通されるようにバスケット１１に装着されている。
【００４６】
また、バスケット１１は、紙パック４の吸気口４ｄを開閉する閉鎖弁１５を、吸気口１２の後部に備えている。
この閉鎖弁１５は、紙パック４の吸気口４ｄより僅かに小さめの直径の円板状の板状部材であって、図３に示すように、上端部が薄肉部からなるヒンジ部１５ａにより周囲の部材に繋がっているほかは切り離されている。そして、閉鎖弁１５は、紙パック４が取り付けられた状態では、運転時上端部のヒンジ部１５ａを回動軸として吸気の風力により下端部が紙パック４内に移動して開放され、運転停止時には重力によりにより自然に閉鎖するように構成されている。
【００４７】
また、この閉鎖弁１５は、紙パック４に流入する吸気流れの風向を変更する風向変更板を兼用しており、開放時の角度は、吸気を紙パック４内で旋回させるのに都合のよい所定角度となるように設定されている。この風向変更板１５により、紙パック４に吸入される吸気流は下向きに風向が変更される。この結果、紙パック４に流入した吸気流は、紙パック４のモータ室３側の下方の第１コーナ部４ｅに向かって吹き込まれる。
【００４８】
本実施例に係る電気掃除機は、運転時、紙パック４内において吸気流を水平方向の旋回軸で旋回させるための旋回流発生機構が形成されている。この旋回流発生機構は、基本的構成要素として、上記の風向変更板１５と、風向変更板１５から第１コーナ部４ｅに向かって吹き込まれる吸気流を旋回させるように、第１コーナ部４ｅを旋回方向に向かって彎曲形状に維持するための第１形状保持部材とを備えている。
【００４９】
第１形状保持部材は、バスケット１１底面に対し上方部に一体的に形成された曲面支持壁１６である。この曲面支持壁１６は、紙パック４の後方の第１コーナ部４ｅを、彎曲した上表面により所定形状に保持するものである。すなわち、曲面支持壁１６は、運転時紙パック４の第１コーナ部４ｅを旋回方向に所定の形状に彎曲させて保持可能とするように、電気掃除機の左右横方向に所定の幅で形成され、その上面が旋回流の旋回方向に彎曲する所定の彎曲面に形成されている。
【００５０】
なお、バスケット１１の、底面前部にも紙パック４の前部下方を支持するリブ１７が設けられているが、このリブ１７は、運転時に紙パック４前部を第１コーナ部４ｅに連続する曲線形状にすることにより、紙パック４に発生させる旋回流をより円滑にする効果を有する。しかし、リブ１７は、紙パック４内に吸気流を旋回させるための基本的構成要素ではない。
【００５１】
また、集塵室５において、上蓋５ａの下方には、紙パック４中央部上方の空間部の後方および左右を塞ぐように、平面視コの字状のリブ１８が形成されている。このリブ１８は、紙パック４内の吸気流の一部が、紙パック４の左右方向の中央上方部のフィルターシート４ａを通過するのを抑制するとともに、紙パック４のフィルターシート４ａの上方形状を、旋回流形成に都合のよい所定の曲面に形成することを目的とするものである。特に、このリブ１８の側方後部１８ａは、第１コーナ部４ｅで方向変更された吸気の流れ方向に位置する第２コーナ部４ｆを旋回方向に湾曲させる第２形状保持部材として機能するものであって、リブ１８ａの下端面は所定形状の彎曲形状に形成されている。この第２形状保持部材は、第２コーナ部４ｆを所定の彎曲形状に保持することにより、吸気流に対し旋回力を付与する効果はあるが、第１形状保持部材のみでも旋回流の形成は可能である。
【００５２】
また、バスケット１１の側面には多数の略４角形の貫通口１９が形成され、バスケット１１の重量およびコスト軽減が図られている。
【００５３】
実施例１に係る電気掃除機は、上記のように構成されているので、次のような動作をする。
電動送風機２が駆動されると、図示していない床用吸込具から掻き揚げた塵埃を含む空気が、吸気ホース６を通して掃除機本体１の吸気ホース接続口９から吸い込まれる。この吸気の風圧により風向変更板１５が図１および図３のように紙パック４内に回動して開く。これにより、吸気流はフィルターシート４ａの第１コーナ部４ｅに向かって流れる。この第１コーナ部４ｅは第１形状保持部材としての曲面支持壁１６により旋回方向に湾曲する曲面状に維持されているので、吸気流は第１コーナ部４ｅの曲面形状に沿って流れる。これにより、紙パック４内に流入した吸気流に旋回力が付与される。また、この吸気流は、モータ室３の吸気口３ａを挟んで第１コーナ部４ｅに対向する位置にある第２コーナ部４ｆに向かって上方に流れる。第２コーナ部４ｆに向かって流れた吸気流は、この第２コーナ部４ｆが第２形状保持部材により旋回方向に湾曲する曲面状に維持されているので、この曲面状に沿って流れることにより、旋回力の低下を抑制しながらさらに旋回が続けられる。
【００５４】
なお、上述の構成において、モータ室３の吸気口３ａの中心位置が、紙パック４の吸気口４ｄの中心位置に対し、紙パック４内の吸気流の旋回方向における後流側に位置するように形成されているので、第１コーナ部４ｅの彎曲形成部を大きくすることができ、強力な旋回流を形成することが容易になっている。
【００５５】
このように、本実施例においては紙パック４内において塵埃を含む吸気流が水平方向の旋回軸をなすように旋回される。これにより、吸気流中に含まれる塵埃は遠心力により吸気流中から分離され、左右両側方部の風のよどみ部に貯留される。また、塵埃が除去された空気は、主として、塵埃貯留部を介さず、紙パック４の左右方向の中央部からモータ室３側に吸入される。また、他の少量の一部空気は紙パック４の側方から紙パック４の周囲を回ってモータ室３に流れる。これにより、塵埃は圧縮されつつ紙パック４の側方に貯留される。モータ室３に流れた空気は、モータを冷却した後、一部は排気口（図示せず）から機外に排出され、残部は掃除機本体１内の還流通路（図示せず）を通って吸気ホース６の外側ホース内に還流され、床用吸込具に還流される。
【００５６】
実施例１は、以上のように構成されているので、次のような効果を奏することができる。
上記のように、本実施例における電気掃除機では、紙パック４内において塵埃貯留部と通気部とが分離されるため、電気掃除機からの排気の臭気は従来のサイクロン式電気掃除機の場合と同様に少なくなる。また、本実施例の電気掃除機では、紙パック４内において塵埃貯留部と通気部とが分離されるため、使用中に吸引風量が低下し難い構成となっている。さらに、塵埃を廃棄する際は従来の紙パック４式の電気掃除機と同様に、貯留部から塵埃を取り出すことなく紙パック４とともに廃棄できるので、廃棄手間が掛からず衛生的である。
【００５７】
また、本実施例においては、旋回流発生機構が、紙パック４の吸気口において吸気流の風向を変更する風向変更板１５と、風向を変更して紙パック４内に吸入した吸気流に旋回力を付与する第１形状保持部材としての曲面支持壁１６により構成されているので、簡易な構成により従来の紙パック４を使用しながら、紙パック４に吸入された吸気を円滑に旋回させることができる。
【００５８】
また、本実施例においては、旋回流発生機構として第２形状保持部材としてのリブ１８を有するので、紙パック４内の旋回力をより強力に発生させることができる。
【００５９】
また、紙パック４に吸入した吸気流は、風向変更板１５、第１形状保持部材（曲面支持壁１６）および第２形状保持部材（リブ１８ａ）により水平方向の旋回軸で旋回するので、分離された塵埃を紙パック４の左右のよどみ部に圧縮気味に効率良く貯留することができる。これにより、塵埃貯留量を多くすることができる。ちなみに、紙パック４に吸入した吸気流を垂直方向の旋回軸で旋回させた場合は、塵埃を紙パック４の下方部にのみ貯留することになるので塵埃貯留容積が減少する。
【００６０】
また、第１形状保持部材や第２形状保持部材を、フィルターシート４ａの外部に設けた曲面支持壁１６、リブ１８で構成しているので、第１形状保持部材や第２形状保持部材を容易に形成することができる。
【００６１】
また、風向変更板１５を、上端を回転中心として下端が紙パック４内側に回動する板状部材からなり、運転時、吸気の風圧により開放して吸気流を所定方向に変更し、運転停止時、自重により紙パック４の吸気口を閉鎖するように構成しているので、風向変更板１５と吸気ホース接続口９の閉鎖蓋とを兼用することができ、構成が簡単になる。また、紙パック４内の旋回流を水平方向の旋回軸とすることができ、塵埃貯留量を大きくすることができる。
【００６２】
また、モータ室３の吸気口３ａの中心を、紙パック４の吸気口４ｄの中心に対し、紙パック４内の吸気流の旋回方向における後流側に位置するように形成しているので、フィルターシート４ａの第１コーナ部４ｅを大きくすることができ、より強力な旋回流を形成することができる。
【００６３】
また、紙パック４に内部を観察可能にする透明部４ｃを形成しているので、紙パック４内にどの程度の塵埃が貯留されているかを肉眼で判別することができる。したがって、紙パック４交換の時期を簡単に知ることができる。
【実施例２】
【００６４】
次に実施例２について、図４に基づき説明する。図４は実施例２に係る還流型電気掃除機の側断面図である。
実施例２は、この図に示されるように、実施例１における紙パック４の前部下方を支持するリブ１８を、第１形状保持部材を形成する曲面支持壁１６に連続する曲面支持壁２１としている。また、この実施例２では、実施例１における上蓋５ａの下方のリブ１８に代わって前後方向のリブ２２が形成されている。そして、このリブ２２の後部２２ａが実施例１におけるリブ１８ａに代わって第２形状保持部材として機能するものである。
なお、その他の構成は、実施例１と同様であり、図４には実施例１と共通する部分に同一の符号を付している。
【００６５】
したがって、実施例２は、紙パック４内の吸気流の一部が、紙パック４の左右方向の中央に位置する上方部のフィルターシート４ａを通過するのを抑制する作用効果はないが、この点を除いては、前述の実施例１と同様の作用効果を奏することができる。
【実施例３】
【００６６】
次に実施例３について、図５に基づき説明する。図５は実施例３に係る還流型電気掃除機の側断面図である。
実施例３は、図５に示されるように、実施例１における第１形状保持部材を形成する曲面支持壁１６をバスケット１１の底面に形成したリブ３１に変更し、さらに、実施例１における紙パック４の前部下方を支持するリブ１７を省略している。また、この実施例３では、実施例２と同様に、実施例１における上蓋５ａの下方のリブ１８に代わって前後方向のリブ２２が形成されている。また、このリブ２２の後部２２ａが実施例１におけるリブ１８ａに代わって第２形状保持部材として機能する。
なお、その他の構成は、実施例１と同様であり、図５には、実施例１および実施例２と共通する部分には同一の符号を付しその説明を省略する。
【００６７】
上記リブ３１は、電気掃除機の左右方向に複数形成され、リブ３１の端面を彎曲形状として第１コーナ部４ｅを支持するようにしたものである。また、このリブ３１は、第１形状保持部材として実施例１および実施例２における曲面支持壁１６と同様の作用効果を奏することができる。
【００６８】
したがって、実施例３は、実施例１に比し、紙パック４の前部下方の形状が彎曲性を欠く点、紙パック４内の吸気流の一部が、紙パック４の左右方向の中央上方部のフィルターシート４ａを通過するのを抑制する作用効果を欠如する点で実施例１と相違するが、その他の点では実施例１と同様の作用効果を奏することができる。
【実施例４】
【００６９】
次に実施例４について、図６に基づき説明する。図６は実施例４に係る還流型電気掃除機の側断面図である。
実施例４は、図６に示されるように、実施例１における第１形状保持部材を形成する曲面支持壁１６を、バスケット１１の底面に形成したリブ４１に変更し、さらに、実施例１における紙パック４の前部下方を支持するリブ１７を、上記リブ４１に連続するリブ４２に変更している。また、この実施例４では、実施例２と同様に、実施例１における上蓋５ａの下方のリブ１８に代わって前後方向のリブ２２が形成されている。また、このリブ２２の後部２２ａが実施例１におけるリブ１８ａに代わって第２形状保持部材として機能する。
なお、その他の構成は、実施例１と同様であり、図６には、実施例１および実施例２と共通する部分には同一の符号を付しその説明を省略する。
【００７０】
上記リブ４１およびリブ４２は、電気掃除機の左右方向に複数形成され、これらリブ４１、４２の端面を彎曲形状として第１コーナ部４ｅおよび紙パック前部下方を支持するようにしたものである。リブ４１は、第１形状保持部材として実施例１および実施例２における曲面支持壁１６と同様の作用効果を奏することができる。また、リブ４２は、実施例１におけるリブ１７と同様の作用効果を奏することができる。
【００７１】
したがって、実施例４は、実施例１に比し、紙パック４内の吸気流の一部が、紙パック４の左右方向の中央上方部のフィルターシート４ａを通過するのを抑制する作用効果を欠如する点で実施例１と相違するが、その他の点では実施例１と同様の作用効果を奏することができる。
【実施例５】
【００７２】
次に実施例５について、図７に基づき説明する。図７は実施例５に係る還流型電気掃除機の側断面図である。
実施例５は、図７に示されるように、実施例１における第１形状保持部材を形成する曲面支持壁１６を、バスケット１１の底面に形成したリブ５１に変更している。また、この実施例５では、フィルターシート４ａの第１コーナ部４ｅを非通気性材料からなる通気性阻害部５５としている。さらに、この実施例５では、実施例１における上蓋５ａの下方のリブ１８を備えていない。
なお、その他の構成は、実施例１と同様であり、図７には、実施例１と共通する部分には同一の符号を付しその説明を省略する。
【００７３】
リブ５１は、実施例２と比較すると縦長の形状となっているが、実施例１における第１形状保持部材としての曲面支持部材１６と同様に、第１コーナ部４ｅを旋回方向に彎曲させて、吸気流に旋回力を付与する機能を備えている。また、この実施例５におけるフィルターシート４ａの第１コーナ部４ｅに非通気性を付与して、フィルター機能を備えない通気性阻害部５５として形成されている。非通気性付与の方法としては、例えば非通気性のフィルムを内面あるいは外面に貼付することで形成することができる。このように、第１コーナ部４ｅが通気性阻害部５５として形成されているので、吸気口４ｄから流入して第１コーナ部４ｅに向けて吹きつけられる吸気流に効率良く旋回力を付与することができる。
【００７４】
また、この実施例５においては、実施例１のように上蓋５ａの下方に平面視コの字状のリブ１８が形成されていないが、第２形状保持部材としてリブ１８ａに代わり、第２コーナ部４ｆ自体の形状が、運転時に紙パック４が膨らんだ状態において曲面を形成するように構成されている。この第２形状保持部材としての構成により、実施例１の場合と同様の旋回推進力を有するように構成されている。
【００７５】
このように、実施例６は、実施例１におけると同様に、塵埃貯留部と通気部とが分離された新規な電気掃除機を提供することができる。
【実施例６】
【００７６】
次に実施例６について、図８に基づき説明する。図８は実施例６に係る還流型電気掃除機の側断面図である。
実施例６は、図８に示されるように、実施例５における通気性阻害部５５を他の構造の通気性阻害部６５に置き換えたものであって、他の構成は実施例５と同様である。
なお、図８には、実施例１および実施例５と共通する部分には同一の符号を付しその説明を省略する。
【００７７】
この実施例６における通気性阻害部６５は、バスケット１１の背面側に垂直に形成されたバスケット１１とは別部材の板状部材であって、この板状部材からなる通気性阻害部６５を設置することにより、フィルターシート４ａの下方部とモータ室３との流路を遮断している。これにより、吸気流の一部が第１コーナ部４ｅから流出するのを規制し、第１コーナ部４ｅにおいて吸気流に効率良く旋回力を付与することができるようにしたものである。
【００７８】
実施例６は、以上のように構成されているので、実施例５と同様の作用効果を奏することができる。
【実施例７】
【００７９】
次に実施例７について、図９に基づき説明する。図９は実施例７に係る還流型電気掃除機の側断面図である。
実施例７は、図９に示されるように、実施例６における通気性阻害部６５を他の構造の通気性阻害部７５に置き換えたものであって、他の構成は実施例６と同様である。
なお、図９には、実施例１および実施例６と共通する部分には同一の符号を付しその説明を省略する。
【００８０】
この実施例７は、バスケット１１を背面壁付きとしたものであって、この背面壁を通気性阻害部７５としたものである。したがって、この通気性阻害部７５は、実施例６における通気性阻害部６５と同様の作用効果を有するものである。
【００８１】
以上のごとく、実施例７は実施例６と同様の作用効果を奏することができる。
【実施例８】
【００８２】
次に実施例８について、図１０〜図１２に基づき説明する。実施例８は実施例１と同様の還流型電気掃除機であって、図１０は同電気掃除機に使用される紙パックの正面図であり、図１１は同紙パックの側面図であり、図１２は同電気掃除機の平断面図である。
【００８３】
この実施例８に係る電気掃除機は、実施例１における紙パック４の透明部４ｃを変更したものであり、その他の構成は、実施例１と同様である。
なお、図１０〜図１２には、実施例１と共通する部分には同一の符号を付しその説明を省略する。
【００８４】
実施例８における透明部８１は、紙パック４内における吸気流の方向の中央部を、すなわち、電気掃除機の左右方向の中央部を略全周にわたる帯状の非通気性透明フィルムから構成したものである。
【００８５】
実施例８は、透明部８１を上記のように構成したものであるので、紙パック４内部の塵埃貯留の様子を全体的に容易に観察することができる。また、非通気性の部分が紙パック４の中央部の略全周にできるため、紙パック４の吸気口４ｄからモータ室３の吸気口３ａに直接空気が通過する流れを抑制し、旋回流の形成が容易になる。また、上記以外に実施例１と同様の作用効果を奏することができる。
【実施例９】
【００８６】
次に実施例９について、図１３に基づき説明する。図１３は実施例９に係る還流型電気掃除機の側断面図である。
実施例９は、実施例１において、紙パック４の側部に、紙パック４内の吸気流の一部空気をモータ室３に排出するバイパス路９１を形成したものである。なお、その他の構成は実施例１と同一であり、図１３において実施例１と同一部分には同一の符号を付し、その説明を省略する。
【００８７】
より具体的には、バスケット１１の側部にモータ室３の吸気口３ａに通ずるバイパス路９１を形成し、紙パック４内で旋回する吸気流の一部をこのバイパス路９１を通してモータ室３に流すことにより、紙パック４の左右両側部に貯留される塵埃を圧縮することができるようにし、紙パック４の使用期間の延長を図ったものである。
【００８８】
したがって、実施例９は、実施例１の効果を奏することができるとともに、紙パック４の使用期間を長期化することができる。
【実施例１０】
【００８９】
次に実施例１０について、図１４〜図１６に基づき説明する。図１４は実施例１０に係る還流型電気掃除機の側断面図であり、図１５は同電気掃除機における運転中の紙パックの側断面図であり、図１６は同紙パックを廃棄するときの状態を示した側断面図である。
実施例１０は、実施例１における風向変更板１５を変更している。また、第１形状保持部材としては実施例６と同様のリブ５１が使用されている。また、実施例６の場合と同様に、第２形状保持部材としてリブ１８ａに代わり、第２コーナ部４ｆ自体の形状を、運転時紙パック４が膨らんだ状態において曲面を形成するように構成されている。
なお、その他の構成は実施例１と同一である。したがって、図１４〜図１６においては、実施例１または実施例６と同一部分に同一の符号を付し、その説明を省略する。
【００９０】
実施例１０における風向変更板１０１は、紙パック４の吸気口４ｄに一体的に設けられている。この風向変更板１０１は、口紙４ｂと同様の厚紙を用いたもので、実施例１における風向変更板１５と同様に上端部に折り目などをつけたヒンジ部１０１ａを有する。そして、運転時においては、吸気の風圧により図１５のように所定角度開放され、風向変更機能を行い、運転停止時および塵埃廃棄時には、図１６のように塵埃が吸気口４ｄからこぼれないように閉鎖弁のとして機能する。
【００９１】
実施例１０は、実施例１と同様の作用効果を奏するほか、風向変更板１０１が紙パック４と一体的に形成しているので、塵埃廃棄時、紙パック４内から塵埃の飛び出しを抑制することができる。
【００９２】
本発明は、以上の実施例に限定されるものではなく、例えば次のように変更することもできる。
（１）  上記各実施例において、風向変更板１５、１０１、第１形状保持部材および第２形状保持部材の構成を変更することにより紙パック４内の吸気流を縦方向に旋回軸をなすように旋回させることも可能である。ただし、この場合には風のよどみが上下部となるため、塵埃は下部に貯留されることになる。
（２）  また、実施例５、６、７、１０においては第２形状保持部材の構成として第２コーナ部４ｆ自体の形状を旋回方向に彎曲させる形状としていたが、これと同様に、第１形状保持部材の構成として第１コーナ部４ｅ自体の形状を旋回方向に彎曲させる形状とすることもできる。
（３）  また、各実施例において、第１形状保持部材としての曲面支持壁１６、リブ３１、４１、５１をバスケット１１と一体的に形成していたが、構造的に可能である場合、集塵室５を形成する壁面にこれらを設けてもよい。
（４）  実施例９において、バイパス路９１をバスケット１１の両側部に設けているが、このバイパス路９１の位置をバスケット１１の上方などに変更することにより、電気掃除機が左右方向に大きくなるのを防止することも可能である。
【図面の簡単な説明】
【００９３】
【図１】本発明の実施例１に係る電気掃除機の還流型電気掃除機の側断面図である。
【図２】同電気掃除機の概略構成を示した平断面図である。
【図３】同電気掃除機におけるバスケットの側断面図である。
【図４】実施例２に係る還流型電気掃除機の側断面図である。
【図５】実施例３に係る還流型電気掃除機の側断面図である。
【図６】実施例４に係る還流型電気掃除機の側断面図である。
【図７】実施例５に係る還流型電気掃除機の側断面図である。
【図８】実施例６に係る還流型電気掃除機の側断面図である。
【図９】実施例７に係る還流型電気掃除機の側断面図である。
【図１０】実施例８に係る還流型電気掃除機に使用される紙パックの正面図である。
【図１１】同紙パックの側面図である。
【図１２】同電気掃除機の概略構成を示した平断面図である。
【図１３】実施例９に係る還流型電気掃除機の側断面図である。
【図１４】実施例１０に係る還流型電気掃除機の側断面図である。
【図１５】同電気掃除機における運転中の紙パックの側断面図である。
【図１６】同紙パックを廃棄するときの状態を示した側断面図である。
【符号の説明】
【００９４】
２  電動送風機
３  モータ室
３ａ  吸気口
４ｅ  第１コーナ部
４ｆ  第２コーナ部
４ｃ  透明部
４ｄ  吸気口
４  紙パック
５  集塵室
１１  バスケット
１５  （閉鎖弁）風向変更板
１６  （第１形状保持部材としての）曲面支持壁
１８ａ  （第２形状保持部材としての）リブ
２２ａ  （第２形状保持部材としての）リブ
３１  （第１形状保持部材としての）リブ
４１  （第１形状保持部材としての）リブ
５１  （第１形状保持部材としての）リブ
５５  通気性阻害部
６５  通気性阻害部
７５  通気性阻害部
８１  透明部
９１  バイパス路
１０１  風向変更板
【図１】
2005204734.tif 000003
【図２】
2005204734.tif 000004
【図３】
2005204734.tif 000005
【図４】
2005204734.tif 000006
【図５】
2005204734.tif 000007
【図６】
2005204734.tif 000008
【図７】
2005204734.tif 000009
【図８】
2005204734.tif 000010
【図９】
2005204734.tif 000011
【図１０】
2005204734.tif 000012
【図１１】
2005204734.tif 000013
【図１２】
2005204734.tif 000014
【図１３】
2005204734.tif 000015
【図１４】
2005204734.tif 000016
【図１５】
2005204734.tif 000017
【図１６】
2005204734.tif 000018